(57)【要約】【課題】従来から２流体ノズルを利用してミストを生成するタイプの加湿装置が利用されているが、最近ではミストを更に微細化することが求められており、それにつれて発生する騒音も大きくなっている。【解決手段】２流体ノズル１７の周囲の空間および２流体ノズル１７と吹出し口７と間の空間をその余の空間から隔離する筒状サイレンサー１１とを備えている。筒状サイレンサー１１の外周側は遮音材３１で構成され、中間側は吸音材３３で構成され、内周側は防水・吸音材３５で構成されている。また、サイレンサー内空間３７における中心線上における２流体ノズルの吐出口１８からまたは吐出口１８から下ろした垂線の足から吹出し口７までの長さ（Ｌ）と吹出し口の面積（Ｓ）とが、式：０．０５≦Ｓ／Ｌ≦０．１５の関係を満たすよう吐出口１８の位置が調整されている。【選択図】        図２
2011052939.tif 000002
【特許請求の範囲】
【請求項１】
吹出し口が形成された装置本体と、前記装置本体内に設けられ、圧縮空気により水をミストにして吐出する２流体ノズルと、前記２流体ノズルの周囲の空間および前記２流体ノズルと前記吹出し口との間の空間をその余の空間から隔離する筒状サイレンサーとを備え、前記筒状サイレンサーの外周側は遮音材で構成され内周側は吸音材で構成されていることを特徴とする静音型加湿装置。
【請求項２】
請求項１に記載した静音型加湿装置において、
サイレンサー内空間における中心線上における２流体ノズルの吐出口からまたは吐出口から下ろした垂線の足から吹出し口までの長さ（Ｌ）と吹出し口の面積（Ｓ）とが、
式：  ０．０５≦Ｓ／Ｌ≦０．１５
の関係を満たすことを特徴とする静音型加湿装置。
【請求項３】
請求項１または２に記載した静音型加湿装置において、
サイレンサー内空間は２流体ノズルの吐出口より先の吹出し口側に湾曲乃至屈曲状部分を有していることを特徴とする静音型加湿装置。
【請求項４】
請求項１から３のいずれかに記載した静音型加湿装置において、
サイレンサーの吸音材の内周側にさらに防水材が固着されていることを特徴とする静音型加湿装置。
【請求項５】
請求項１から４のいずれかに記載した静音型加湿装置において、
外部水源から供給された水を溜めるメインタンクと共に、前記メインタンクから供給された水を溜め、２流体ノズルに供給するサブタンクを前記２流体ノズルのノズル揚程を０〜２００ｍｍにできるところに設置したことを特徴とする静音型加湿装置。
【請求項６】
請求項５に記載した静音型加湿装置において、
メインタンクへの給水ラインには供給水制御バルブが介挿され、サブタンクへの給水ラインには液送ポンプが介挿されて、それぞれのタンクに備えられた水位センサーからの監視情報に基づいて前記供給水制御バルブや液送ポンプが制御されてそれぞれのタンク内の水位が設定範囲に維持されることを特徴とする静音型加湿装置。
【請求項７】
請求項５または６に記載した静音型加湿装置において、
メインタンクとサブタンクとの間の給水ラインに純水器が設けられていることを特徴とする静音型加湿装置。
【請求項８】
請求項５から７のいずれかに記載した静音型加湿装置において、
サイレンサー内空間は２流体ノズルの吐出口の背後で斜め乃至水平になって、その部分の下側には排水口が前記メインタンクの開口に対向して設けられていることを特徴とする静音型加湿装置。
【発明の詳細な説明】
【技術分野】
【０００１】
本発明は２流体ノズルを利用してミストを生成するタイプの加湿装置に係り、特に、静音型の加湿装置に関するものである。
【背景技術】
【０００２】
従来から、２流体ノズルを利用してミストを生成するタイプの加湿装置が利用されている。
【先行技術文献】
【特許文献】
【０００３】
【特許文献１】特許第３５６３０６７号公報
【特許文献２】実用新案登録第３０９７９４１号公報
【発明の概要】
【発明が解決しようとする課題】
【０００４】
近年、特に業務用加湿装置では、ミストを微細化することが求められており、それに対応して、特許文献１、２の２流体ノズルでは構造が工夫されて、０．１ＭＰａ以上の圧縮空気を使用して微細なミストを生成することが可能となっている。
しかしながら、上記のようなタイプの２流体ノズルを使用すると、ノズルから８ｋＨｚをピークとする１〜２０ｋＨｚの騒音が発生する。この騒音はノズルから２ｍの距離において６５〜７５ｄＢ（空気圧０．１〜０．４ＭＰａ）に達する。しかも、特許文献２のように、小型プロペラファンを併用してミストを蒸発により更に微細化しようとすると、さらにファンからも２ｋＨｚをピークとする２５０Ｈｚ〜８ｋＨｚの騒音が発生する。この騒音はファンから２ｍの距離において５８〜６２ｄＢ（空気圧０．１〜０．４ＭＰａ）に達する。
したがって、騒音の大きさを考慮すると、騒音が問題となるような環境では使用することができない。
また、ミストの生成量を増やしたいとの要求もあり、その場合にはノズルの数を増やすのが手っ取り早いが、それでは騒音もさらに大きくなってしまうし、装置のイニシャルコストも高くなる。
【０００５】
騒音以外にも、発生するミストの安全性、装置のメンテナンス性などの問題が適正なコストでは解決されていない。
すなわち、２流体ノズルに供給する水は通常水道水であり、ノズルへの供給量を適正にするため、一旦タンクに溜め、そこからノズルに供給しているが、タンクに溜められた水（水道水）は、時間の経過とともに水中の塩素濃度が低下して雑菌が繁殖し易くなっており、特に夏場の高温時には、２日間ほどで雑菌が有意的に増大する。このような水をノズルに供給しミスト化すると雑菌を含むミストが撒き散らされてしまうことになる。2007年 10月上旬、新潟市で超音波加湿器を使用していた男性がレジオネラ症で死亡した例も報告されており、憂慮されている。
また、水道水中にはカルキ成分が含まれているため、水道水をミストとして大量に空中に放出すると、その水分が気化した後にはその中に含まれていたカルシウム、マグネシウムなどのミネラル成分が析出し空間を汚染してしまうことになる。
【０００６】
さらに、水道水には次亜塩素酸カルシウム、マグネシウム化合物などが含まれており、それらはノズルや装置内の配管系に析出し堆積していくので、放置すれば詰まりを引き起こす。また、冬場はヒーターをタンク中に入れて水温を上げる場合もあるが、その場合にはヒーターの表面にも析出し堆積していくので、熱効率を低下させる。
【０００７】
本発明は上記従来の問題点に着目してなされたものであり、騒音レベルを抑えた静音型加湿装置を提供することを目的とする。
また、本発明は、装置のイニシャルコストや、発生するミストの安全性、装置のメンテナンス性などの問題も適正なコストで解決できる静音型加湿装置を提供することを目的とする。
【課題を解決するための手段】
【０００８】
本発明は、上記目的を達成するためになされたものであり、請求項１の発明は、吹出し口が形成された装置本体と、前記装置本体内に設けられ、圧縮空気により水をミストにして吐出する２流体ノズルと、前記２流体ノズルの周囲の空間および前記２流体ノズルと前記吹出し口との間の空間をその余の空間から隔離する筒状サイレンサーとを備え、前記筒状サイレンサーの外周側は遮音材で構成され内周側は吸音材で構成されていることを特徴とする静音型加湿装置である。
【０００９】
請求項２の発明は、請求項１に記載した静音型加湿装置において、サイレンサー内空間における中心線上における２流体ノズルの吐出口からまたは吐出口から下ろした垂線の足から吹出し口までの長さ（Ｌ）と吹出し口の面積（Ｓ）とが、式：  ０．０５≦Ｓ／Ｌ≦０．１５の関係を満たすことを特徴とする静音型加湿装置である。
【００１０】
請求項３の発明は、請求項１または２に記載した静音型加湿装置において、サイレンサー内空間は２流体ノズルの吐出口より先の吹出し口側に湾曲乃至屈曲状部分を有していることを特徴とする静音型加湿装置である。
【００１１】
請求項４の発明は、請求項１から３のいずれかに記載した静音型加湿装置において、サイレンサーの吸音材の内周側にさらに防水材が固着されていることを特徴とする静音型加湿装置である。
【００１２】
請求項５の発明は、請求項１から４のいずれかに記載した静音型加湿装置において、外部水源から供給された水を溜めるメインタンクと共に、前記メインタンクから供給された水を溜め、２流体ノズルに供給するサブタンクを前記２流体ノズルのノズル揚程を０〜２００ｍｍにできるところに設置したことを特徴とする静音型加湿装置である。
【００１３】
請求項６の発明は、請求項５に記載した静音型加湿装置において、メインタンクへの給水ラインには供給水制御バルブが介挿され、サブタンクへの給水ラインには液送ポンプが介挿されて、それぞれのタンクに備えられた水位センサーからの監視情報に基づいて前記供給水制御バルブや液送ポンプが制御されてそれぞれのタンク内の水位が設定範囲に維持されることを特徴とする静音型加湿装置である。
【００１４】
請求項７の発明は、請求項５または６に記載した静音型加湿装置において、メインタンクとサブタンクとの間の給水ラインに純水器が設けられていることを特徴とする静音型加湿装置である。
【００１５】
請求項８の発明は、請求項５から７のいずれかに記載した静音型加湿装置において、サイレンサー内空間は２流体ノズルの吐出口の背後で斜め乃至水平になって、その部分の下側には排水口が前記メインタンクの開口に対向して設けられていることを特徴とする静音型加湿装置である。
【発明の効果】
【００１６】
本発明の静音型加湿装置によれば、騒音レベルが抑えられる。
また、本発明の静音型加湿装置によれば、装置のイニシャルコストや、発生するミストの安全性、装置のメンテナンス性などの問題も解決できる。
【図面の簡単な説明】
【００１７】
【図１】本発明の第１の実施の形態に係る静音型加湿装置の斜視図である。
【図２】図１の静音型加湿装置の装置本体内の構成図である。
【図３】本発明の第２の実施の形態に係る静音型加湿装置の構成図である。
【発明を実施するための形態】
【００１８】
本発明の第１の実施の形態に係る静音型加湿装置１を、図１〜図２にしたがって説明する。
符号３は静音型加湿装置１の装置本体を示し、この装置本体３は縦長の箱体状をなしており、その下部にはキャスター５が取り付けられて移動可能になっている。
装置本体３の左右側板は、メンテナンス等のために開閉扉仕様になっている。
装置本体３の天板には吹出し口７が設けられており、そこからミストが吹き出すようになっている。吹き出し口７には風向板８が設けられている。
装置本体３の左側板には外部水源や商用電源への接続用に給水ラインや導線を装置外に引き出すための引き出し穴（図示省略）が設けられている。
【００１９】
先ず、上記した主な部品の収容状態について、図１にしたがって説明する。
装置本体３内には、筒状サイレンサー１１、プロペラファン１３が備えられた送風機、２流体ノズル１７、メインタンク１９、サブタンク２１、純水器２３等が収容されている。
筒状サイレンサー１１は断面四角形の角筒状をしており、上方から下方に向かって直状に延びた後、屈曲して斜め下方に向かって短く延びている。そして、屈曲凹部の反対側は湾曲凸部になっている。また、筒状サイレンサー１１は両端が開口しており、上端開口は装置本体３の吹出し口７と連通し、下端開口にはプロペラファン１３が備えられた送風機１５が取り付けられている。下端開口は装置本体３の空気取入れ口９と近距離で対向している。
２流体ノズル１７は筒状サイレンサー１１内に取付けられている。
メインタンク１９は筒状サイレンサー１１の下方に設置され、サブタンク２１は装置本体３の側面に取り付けられ、純水器２３は、装置本体３内の隅に設置されている。
【００２０】
次に、各部品の特徴と、部品間の配置的特徴について、図２にしたがって詳細に説明する。
筒状サイレンサー１１は、上記したように途中で屈曲されており、上下方向に延びる長い直状の上側部分２５と斜め下方に延びる下側部分２７とからなっている。そして、下側部分２７の湾曲凸部側に排水口２９が設けられている。
筒状サイレンサー１１は、厚さ０．８ｍｍの鋼板３１を折り曲げて筒状に形成されており、その内周側に厚さ２５ｍｍのウレタン製の連泡スポンジシート３３が取り付けられ、さらにその内周側に厚さ２ｍｍの単泡ウレタンゴムシート（ゴム硬度≦１０）３５が貼り付けて三層構造になっている。この実施の形態では、鋼板３１が遮音材として、スポンジシート３３が吸音材として、ゴムシート３５が吸音・防水材として用いられている。ゴムシート３５より内側の空間がサイレンサー内空間３７となっている。
【００２１】
プロペラファン１３としては、騒音の発生を抑えるために、プロペラ径が大きく低速回転でも所望の風量を得ることができるものを取り付けることが推奨される。
２流体ノズル１７はサイレンサー内空間３７に突き出たブラケット（図示省略）に支持されて配置されている。２流体ノズル１７は、例えば特許文献１に記載されているようなものである。
この２流体ノズル１７は、直状の上側部分２５の下端に吐出口１８が上方を向けて位置するように設けられている。吐出口１８は、サイレンサー内空間３７における中心線上における２流体ノズル１７の吐出口１８から下ろした垂線の足から吹出し口７までの長さ（Ｌ）と吹出し口７の面積（Ｓ）とが、式：０．０５≦Ｓ／Ｌ≦０．１５の関係を満たすよう位置決めされている。
【００２２】
メインタンク１９は装置本体３内で底板上に載せられており、その上端開口は上記した筒状サイレンサー１１の排水口２９に対向している。また、サブタンク２１は一定の高さ位置で支持され固定されており、２流体ノズル１７のノズル揚程を０〜２００ｍｍに調整できるようになっている。
符号３９は水位センサーを示し、メインタンク１９とサブタンク２１にそれぞれ備えられてタンク内の水位を常時監視するようになっている。
【００２３】
符号４１は給水ラインを示し、この給水ライン４１に上流側からメインタンク１９、純水器２３、サブタンク２１が順に接続されており、最終的には２流体ノズル１７まで連なっている。メインタンク１９より上流側の給水ライン４１は装置本体３から外に引き出されており、外部水源（図示省略）と接続されてそこから水道水が供給されるようになっている。符号４３は供給水制御バルブを示し、この供給水制御バルブ４３は外部水源とメインタンク１９との間に介挿されて、メインタンク１９への水の供給量を制御するようになっている。
【００２４】
符号４５は液送ポンプを示し、この液送ポンプ４５はメインタンク１９と純水器２３との間の給水ライン４１に介挿されている。液送ポンプ４５の作動により、メインタンク１９から水が汲み上げられてサブタンク２１へ送給されるようになっている。液送ポンプ４５は高い位置にあるサブタンク２１へ水を汲み上げるため、揚程がサブタンク２１の位置に対応できるものとなっている。
符号４７は水回収ラインを示し、この水回収ライン４７はサブタンク２１に一端が接続され、他端がメインタンク１９に接続されている。この水回収ライン４７が設けられたことにより、サブタンク２１内の水位は設定範囲の上限を超えることが確実に阻止される。
符号５０は別の水回収ラインを示し、この水回収ライン５０もサブタンク２１に一端が接続され、他端がメインタンク１９に接続されている。また、この水回収ライン５０の途中にバルブ４８が介挿されている。このバルブ４８が開くと、サブタンク２１内の水が全て水回収ライン５０を通ってメインタンク１９内に回収されるようになっている。
【００２５】
次に、静音型加湿装置１の動作について説明する。
装置１の電源を入れて運転を開始すると、供給水制御バルブ４３が開いてメインタンク１９に水道水が供給される。一定量溜まると、液送ポンプ４５の作動により、水道水がメインタンク１９から送給され、途中純水器２３で処理されて純水になった後、サブタンク２１内に溜められる。そして、サブタンク２１から純水が２流体ノズル１７に供給される。２流体ノズル１７には圧縮空気も圧縮空気供給ライン４９を介して供給されており、純水が圧縮空気により粉砕されてミストが生成され、それが吐出口１８からサイレンサー内空間３７に吐出される。
プロペラファン１３の作動により、サイレンサー内空間３７には矢印に示すように上昇する空気流が形成されており、吐出されたミストはこの空気流に乗って上昇しながら蒸発が促進され微細化されて、吹出し口７から装置外に向かって吹き出される。
【００２６】
次に、効果について説明する。
騒音の発生源となる２流体ノズル１７の吐出口１８は筒状サイレンサー１１内に配置されており、当該筒状サイレンサー１１の壁は、上記したように、遮蔽材、吸音材、吸音・防水材の三層構造になっているので、ノズルから発生する１〜２０ｋＨｚの騒音を当該壁に効率良く吸収させることができる。特に、防水材が最内周側に固着されているので、水が中間の吸音材中に浸透して吸音性能を低下させることが阻止されている。
また、２流体ノズル１７の吐出口１８は、サイレンサー内空間３７における中心線上における２流体ノズル１７の吐出口１８から下ろした垂線の足から吹出し口７までの長さ（Ｌ）と吹出し口７の面積（Ｓ）とが、式：０．０５≦Ｓ／Ｌ≦０．１５の関係を満たすよう位置決めされているので、有意的な風量低下をもたらすことなく、吹出し口７から装置外に漏れる騒音が低下している。
【００２７】
運転中は、メインタンク１９に備えられた水位センサー３９からの監視情報に基づいて供給水制御バルブ４３が開閉してメインタンク１９内の水位が設定範囲（Ａ）内に収まるようになっており、液送ポンプ４５の送給量がメインタンク１９内の水位低下により制限されることはない。また、サブタンク２１に備えられた水位センサー３９からの監視情報に基づいて液送ポンプ４５が作動してサブタンク２１内の水位が上限を吐出口１８、下限をそこから２００ｍｍ低い位置の範囲（Ｂ）内に収まるようになっている。また、上限を仮に超えそうになっても、水回収ライン４７から排水される。
したがって、ノズルの最高性能、すなわち最大ミスト発生量を効率良くしかも容易に実現できるようになっている。
【００２８】
運転中は純水器２３から出てきてサブタンク２１内に溜まった純水を２流体ノズル１７が逐次ミスト化しており、運転していないときにサブタンク２１内の水はバルブ４８が開かれて水回収ライン５０を通って一旦メインタンク１９に回収されてサブタンク２１は空になる。また、吐出されたミストのうちサイレンサー内空間３７の内壁面を構成するゴムシート３５に衝突したものは水滴となり、その後滑り落ちて排水口２９まで運ばれていく。そして、排水口２９からメインタンク１９内に落下して回収される。上記より、吹き出すミストの安全性は保証される。
また、純水器２３より下流側では析出物が堆積しないので、ノズルや配管系の詰まりやサブタンク２１内のヒーターの熱効率の低下を引き起こすようなことは無くなり、手間と時間の掛かるメンテナンス作業が不要となる。純水器２３のカートリッジは、純水器２３を通過後の水の導電率の測定結果または予め設定した寿命予測に基づいて交換することになる。なお、導電率は１０μＳ（マイクロジーメンス）以下に目標値を設定するのが推奨される。
最後に、副次的な効果であるが、静音型加湿装置１には装置外への排水ラインを設ける必要が無いので、構造が単純となる上に設置場所の選択肢が広がる点も有利である。
【００２９】
第２の実施の形態に係る静音型加湿装置５１について説明する。
この静音型加湿装置５１は、第1の実施の形態に係る静音型加湿装置１を同じ構成部分を有しており、その構成部分は同じ符号を付すことで説明を省略する。
静音型加湿装置５１の筒状サイレンサー５３は、正面から見ると、上側部分の上部が湾曲して、２流体ノズル１７の吐出口１８より上方の上端開口側が装置本体３の左側板に対向している。筒状サイレンサー５３を構成する板面の形状から説明すると、装置本体３の正面側及び背面側に対向する側の板面が１／４円弧状に近い形状になっており、右側板に対向する側の帯板が湾曲しており、左側板に対向する側の板面は無い。また、筒状サイレンサー５３は、遮蔽板３１のみの単層構造になっている。
【００３０】
湾曲状部分５５が形成されることより、この場合の中心線は図示のように一部が曲線になっている。
サイレンサー内空間３７の直状部分の上方は上記したように湾曲状部分５５により閉塞されているので、騒音はそのまま上方に抜けることはなく、大部分は湾曲状部分５５に衝突して吸音される。したがって、吹出し口７から装置外に漏れ出す騒音が低下する。
【００３１】
以上、本発明の実施の形態について詳述してきたが、具体的構成は、この実施の形態に限られるものではなく、本発明の要旨を逸脱しない範囲における設計の変更などがあっても発明に含まれる。
例えば、２流体ノズルは、シングルタイプでもツインタイプでもよく、況や特許文献１、２に記載したものには限定されない。
【実施例】
【００３２】
［実施例１］
第１の実施の形態に係る静音型加湿装置１を製造して騒音試験を行った。
筒状サイレンサー１１は、遮音材（厚さ：０．８ｍｍの鋼板）、吸音材（厚さ：２５ｍｍのウレタン製の連泡スポンジシート、吸音・防水材（厚さ：２ｍｍの単泡ウレタンゴムシート（ゴム硬度＝７））の三層構造とした。また、Ｌ＝０．６２ｍ、Ｓ＝０．０９ｍ２とし、Ｓ／Ｌ＝０．１４５とした。
プロペラファン１３は、プロペラ径：２５０ｍｍ、風量：１２ｍ３／分、騒音レベル３５ｄＢのものを取り付けた。２流体ノズル１７への圧縮空気圧力は０．２５ＭＰａに設定した。
この状態で、装置本体３の正面から２ｍ離れた高さ１．２ｍの位置での騒音レベルを測定したところ、５９ｄＢ（ミスト発生量：１０ｋｇ／時）〜６１ｄＢ（ミスト発生量：４ｋｇ／時）であり、目標値：６２ｄＢを達成した。このときの吹出し口７での吹出し風量を求めたところ、約１２ｍ３／分であった。
【００３３】
［比較例１］
実施例１と、筒状サイレンサー１１の構成を吸音材と吸音・防水材を外した(遮音材のみ)状態にした以外は同じにして、騒音レベルを測定したところ７５ｄＢであった。
［比較例２］
実施例１と、筒状サイレンサー１１でＬ：０．５５ｍにしてＳ／Ｌ＝０．１６にした以外は同じにして、騒音レベルを測定したところ、６３ｄＢ (ミスト発生    
量：１０ｋｇ／時)〜６４ｄＢ(ミスト発生量：４ｋｇ／時)であった。
［比較例３］
実施例１と、筒状サイレンサー１１でＬ：１．８ｍにしてＳ／Ｌ＝０．０５にした以外は同じにして、騒音レベルを測定しようとしたところ、４９ｄＢ (ミスト発生量：１０ｋｇ／時)〜５０ｄＢ(ミスト発生量：４ｋｇ／時)であったが、吹出し口７での吹出し風量は約９ｍ３／分であった。
【００３４】
［実施例２］
第２の実施の形態に係る静音型加湿装置５１を製造して騒音試験を行った。
筒状サイレンサー５３は、遮音材（厚さ：０．８ｍｍの鋼板）の単層構造とした。また、Ｌ＝０．６２ｍ、Ｓ＝０．０９ｍ２とし、Ｓ／Ｌ＝０．１４５とした。
プロペラファン１３や２流体ノズル１７への圧縮空気圧力は、実施例１と同じにした。
この状態で、装置本体３の正面から２ｍ離れた高さ１．２ｍの位置での騒音レベルを測定したところ、５６ｄＢ（ミスト発生量：１０ｋｇ／時）〜５９ｄＢ（ミスト発生量：４ｋｇ／時）であり、目標値：６２ｄＢを達成した。このときの吹出し口７での吹出し風量を求めたところ、約１２ｍ３／分であった。
【００３５】
［実施例３］
実施例１の静音型加湿装置５１を用いて水質変化を調べた。
水道水の導電率は１００μＳで、サブタンク２１内の水の導電率は１μＳであった。装置５１を、１日当たりのミスト発生量を５６ｋｇとし、週５日運転、２日停止のペースで稼働させたところ、３４日間(約１．５ヶ月)でサブタンク２１内の水の導電率が１０μＳに達したため、純水器２３のカートリッジを交換した。
【符号の説明】
【００３６】
１…静音型加湿装置（第１の実施の形態）
３…装置本体                      ５…キャスター
７…吹出し口                      ９…空気取入れ口
１１…筒状サイレンサー            １３…プロペラフィン
１５…送風機                      １７…２流体ノズル
１９…メインタンク                ２１…サブタンク
２３…純水器                      ２５…上側部分
２７…下側部分                    ２９…排水口
３１…鋼板                        ３３…スポンジシート
３５…ゴムシート                  ３７…サイレンサー内空間
３９…水位センサー                ４１…給水ライン
４３…供給水制御バルブ            ４５…液送ポンプ
４７…水回収ライン                ４８…バルブ
４９…圧縮空気供給ライン          ５０…水回収ライン
５１…静音型加湿装置（第２の実施の形態）
５３…筒状サイレンサー            ５５…湾曲状部分
【図１】
2011052939.tif 000003
【図２】
2011052939.tif 000004
【図３】
2011052939.tif 000005